(57)【要約】      （修正有）【課題】液晶画面から発生する可視光線のうち、意図して選択した波長帯の光線透過率を調整して人体へ負担となる光線の影響を抑える効果のある液晶保護フィルムを提供する。【解決手段】液晶画面６の表面に貼りつけるＰＥＴからなる液晶保護フィルム３の表面を、事前に蒸着コーティング手法を用いて希望する波長帯の光線透過率を選択的に低減させた誘電多層膜２を形成加工して、選択可能な限られた範囲の波長帯の光線透過率を抑制するように加工して液晶保護フィルムとする。フィルムと液晶画面を密着させる材料４には、ウレタンエラストマーまたはシリコーンエラストマーまたはアクリル製糊剤がありそのどれにも応用出来るが、シリコーンを使用する事が望ましい。【選択図】図２
0003175771.tif 000002
【実用新案登録請求の範囲】
【請求項１】
通常の液晶保護フィルムの表面を加工し、選択可能な限られた範囲の波長帯の光線透過率を抑制するように加工した液晶保護フィルム。
【考案の詳細な説明】
【技術分野】
【０００１】
本案件は液晶保護フィルムに係り、液晶画面から発する光のうち一定範囲の光線透過率を低減させる事で、刺激の強い光線を弱め、人間に対して負担となる影響を少なくする事が出来るフィルムに関する。
【背景技術】
【０００２】
一般に、液晶保護フィルムは、パソコン用・ゲーム用・テレビ用・携帯電話用・スマートフォン用・自動販売機用・医療機器用・券売機用などの様々な分野で、その液晶部分を傷や汚れから守るために開発され、幅広く使用され、仕事や生活で必要不可欠な物となっているが、人間に対する影響までは今まであまり問題とされていなかった。
【０００３】
昨今は液晶画面を使う頻度が非常に高くなっており、傷や汚れから液晶画面そのものを保護するだけの機能としての保護フィルムは数多く使われる様になってきているが、液晶画面そのものに対する効果に止まっており、人体に対する影響までを考える事がほとんどされていなかった。
【０００４】
液晶画面が大型化、高機能化するにつれて、液晶画面から放出する可視光線の光量が増加し液晶画面の表示が見やすくなったが、その分人間の眼球の奥にある網膜に達する光の強さも強くなり、液晶画面を見続けることによる眼の疲れが問題となる場合が出てきた。
【０００５】
本案件はこうした人間に対する影響に関する問題を低減するために、液晶保護フィルムの表面に加工を施し、眼を疲れにくくする液晶保護フィルムに関するものであるが、これまでにも各種の提案がなされてきた。
【先行技術文献】
【特許文献】
【０００６】
【特許文献１】特開２００３−１８５８２１
【特許文献２】特開平７−３１３９４９
【特許文献３】実用新案登録第３１６５１１２
【考案の概要】
【考案が解決しようとする課題】
【０００７】
上述した特許文献の考案では、近赤外線と言われる長波長の光や視覚に影響の無い可視光線以外の光の遮断で眼に対する影響を抑える効果、あるいは液晶画面本体の汚れ、傷つきを抑えるだけの効果に止まっている。
【０００８】
コンピュータ機器の発達に伴い、長時間のディスプレイ視認が不可欠である時代には、上述の効果だけでは人間の眼にとって問題の無い状態とは言い切れなくなってきた。
【０００９】
つまり、今まであまり問題にされなかった、可視光線の波長範囲内においても、例えば短波長の紫外線に近い部分でブルーライトと言われる範囲の波長が、波長が短いが故に他の範囲の波長の光と焦点距離が合いにくく、網膜上でピントがずれるため無理にピントを合わせようとして、眼球内のピント調節機構に不要な負担をかけさせていることが分かってきている。
【００１０】
本考案では、今まで問題にされなかった可視光線の波長帯のうち、特定の波長を選択的に抑制し、眼に負担をかける波長の光を低減させることで、眼の負担を軽くする液晶保護フィルムを提供することにある。
【００１１】
本考案は、液晶保護フィルムの最表面を加工し、標的とする範囲の波長帯の波長を低減させることにより、その波長帯の光線透過率を低減し、人間の眼に負担をかける光を低減させる特徴を有しているため、標的としたい波長帯を決めて加工することで、可視光線のうちどこの波長帯にも応用出来る。
【００１２】
液晶保護フィルムの基材であるＰＥＴと表現されるポリエチレンテレフタレートの最表面に光線透過率を選択的波長で調整する表面処理技術を応用することで、対象となる範囲の波長帯の光線透過率を低減させ、液晶画面本体の映像表現の再現性をほとんど損なうことなく、眼に負担をかけやすい範囲の光を低減させることが出来る。
【００１３】
またこの表面処理技術を施した液晶保護フィルムは、従来から必要とされてきた液晶画面本体への直接の傷付を防止する機能も有する。
【００１４】
更には液晶画面本体が直接汚れることを防ぐ効果も同時に有する。
【００１５】
フィルムと液晶画面を密着させる材料には、ウレタンエラストマーまたはシリコーンエラストマーまたはアクリル製糊剤がありそのどれにも応用出来るが、シリコーンを使用する事が一番望ましい。液晶画面本体と密着する部分にシリコーンを使うと、液晶保護フィルムを剥がす際に密着する成分が残り残渣となって大切な液晶画面を汚すことが無く、貼り付け時に貼る角度を多少間違えても容易に剥がすことが出来、再度本来貼りたい位置に貼り直すことも容易に出来る。
【課題を解決するための手段】
【００１６】
本考案は、希望する波長帯の光線透過率を選択的に低減させた液晶保護フィルムを、直接液晶画面に貼る事で波長帯を選択した的光線透過率の低減効果を発現させる事を主な特徴とする。
【考案の効果】
【００１７】
本考案は、全ての波長帯の光線透過率を選択的に低減させる事が出来るが、その例として可視光線の中で短い波長帯を選んで表面コーティングした液晶保護フィルムについての効果で検証してみた。図３のグラフに見られるような分析結果から、可視光線の中で一般的にブルーライトと呼ばれる３８０ｎｍ程度から５００ｎｍ程度の間の波長帯の光線透過率が、他の範囲の光に比べて下がっていることから、可視光線の中でエネルギーが高く人間の眼の網膜に対して負担をかけやすいブルーレイと呼ばれる範囲の光の透過を抑えることが出来る。
【００１８】
図３のグラフの中で、可視光線透過率調整液晶保護フィルムが透過する光のうち、波長帯の光線透過率を比べてみると、５５０ｎｍ以上の波長の光線透過率が９５%程度であるのに対し、ブルーライトと言われる５００ｎｍ程度から波長が短くなるにつれて透過率が低下し始め、４８０ｎｍでは光線透過率が８５％以下に、４２０ｎｍでは光線透過率が５０％以下に、３８０ｎｍでは光線透過率が３５％以下に低減している事が分析結果から観測出来、明らかにブルーライトの波長範囲の光線透過率を抑えている。
【００１９】
可視光線透過率調整液晶保護フィルムの光線透過率測定結果であるグラフを示す図３と可視光線透過率調整をしていない液晶保護フィルムの光線透過率測定結果であるグラフを示す図４とを比較すると、可視光線の中で一般的にブルーライトと呼ばれる３８０ｎｍ程度から５００ｎｍ程度の間の波長の光線透過率が、その波長の範囲内では可視光線透過率調整液晶保護フィルムの方が明らかに透過率の低減効果を発揮しており、透過率を調整しているフィルムは調整していないフィルムに比べて、例えば４８０ｎｍでは光線透過率を９０％以下に、４２０ｎｍでは光線透過率を５５％以下に、３８０ｎｍでは光線透過率を４０％以下に低減させている。
【００２０】
今までは、液晶保護フィルム基材であるＰＥＴと言われるポリエチレンテレフタレートへの応用が難しく、液晶画面ではなく眼鏡レンズ基材への練りこみや表面コーティングでこの機能を付加させていたため、コンピュータ機器を操作する人間が、その都度眼鏡をかけてこの効果を取得していた。しかしこの方法では、各自が高価な眼鏡を購入しなければならず、また普段眼鏡を装着しない者も、不慣れな眼鏡を装着しなければ、その効果を享受することが出来なかった。そこで今回提案の本フィルムを利用することで、特殊眼鏡などを購入し利用することなく、誰もが眼への負担を軽くすることが出来る。
【図面の簡単な説明】
【００２１】
【図１】可視光線透過率調整液晶保護フィルムの模式図。
【図２】符号１の真空蒸着層保護層と符合５のシリコーン層保護層を除いて、貼り付け対象物である液晶画面に可視光線透過率調整液晶保護フィルムを貼った実際の使用に際する模式図。
【図３】可視光線透過率調整液晶保護フィルムの分光透過率測定値グラフ。
【図４】可視光線透過率調整を施していない液晶保護フィルムの分光透過率測定値グラフ。
【考案を実施するための形態】
【００２２】
可視光線の全ての波長帯の光線透過率を低減させ液晶画面の映像の再現性を低下させることなく、選択的にある波長帯の光線透過率だけを低減させる事が出来る加工を液晶保護フィルムの表面にコーティングする事を実現した。
【実施例】
【００２３】
図１符号１の真空蒸着層保護層と符合５のシリコーン層保護層を取り除いた状態で、図２符号６の液晶画面上に直接貼るだけで、可視光線透過率調整された本考案の液晶保護フィルムの効果を簡単に実現出来る。
【産業上の利用可能性】
【００２４】
本考案は、基材ＰＥＴの最表面にコーティングが施されているため、通常の液晶保護フィルムと取扱上は何の差異も無いので、今まで液晶保護フィルムが利用できていたあらゆるタイプの液晶画面に応用する事ができる。
【符号の説明】
【００２５】
1  真空蒸着層保護層
２  真空蒸着処理可視光線透過率調整層
３  ＰＥＴ基材層
４  密着用シリコーン層
５  シリコーン層保護層
６  液晶画面
【図１】
0003175771.tif 000003
【図２】
0003175771.tif 000004
【図３】
0003175771.tif 000005
【図４】
0003175771.tif 000006
【手続補正書】
【提出日】平成24年3月20日(2012.3.20)
【手続補正１】
【補正対象書類名】実用新案登録請求の範囲
【補正対象項目名】全文
【補正方法】変更
【補正の内容】
【実用新案登録請求の範囲】
【請求項１】
液晶画面の表面に貼りつける液晶保護フィルムの表面を、事前に蒸着コーティング手法を用いて希望する波長帯の光線透過率を選択的に低減させた誘電多層膜を形成加工し、選択可能な限られた範囲の波長帯の光線透過率を抑制するように加工した液晶保護フィルム。